(57)【要約】  無線通信ネットワークにおいて使用するための無線デバイスの動作パラメータを調整するための方法は、シチュエーション設定を入力し、格納することによって開始する。無線デバイスに関する情報が、ネットワークにて受信されたとき、その無線デバイスのプレゼンスが判定される。シチュエーション設定は、その無線デバイスのプレゼンスに基づいて、適用される。適用されたシチュエーション設定を用いて、その情報が、その無線デバイスに通知される。
2007511168.tif 000002
【特許請求の範囲】
【請求項１】
無線通信ネットワークにおいて使用するための無線デバイスの動作パラメータを調整する方法であって、
シチュエーション設定を生成するステップと、
前記シチュエーション設定を格納するステップと、
前記ネットワークにおいて、前記無線デバイスに関する情報を受信するステップと、
前記無線デバイスのプレゼンスを判定するステップと、
前記無線デバイスの前記プレゼンスに基づいて、前記シチュエーション設定を適用するステップと、
適用された前記シチュエーション設定を用いて、前記情報を前記無線デバイスに通知するステップと
を備えることを特徴とする方法。
【請求項２】
前記生成するステップは、前記無線デバイスにおいて実行されることを特徴とする請求項１に記載の方法。
【請求項３】
前記生成するステップは、前記ネットワークにおいて実行されることを特徴とする請求項１に記載の方法。
【請求項４】
前記格納するステップは、前記無線デバイスにおいて実行されることを特徴とする請求項１に記載の方法。
【請求項５】
前記格納するステップは、前記ネットワークにおいて実行されることを特徴とする請求項１に記載の方法。
【請求項６】
前記格納するステップは、部分的には前記無線デバイスにおいて実行され、部分的には前記ネットワークにおいて実行されることを特徴とする請求項１に記載の方法。
【請求項７】
前記判定するステップは、前記無線デバイスにおいて実行されることを特徴とする請求項１に記載の方法。
【請求項８】
前記判定するステップは、前記ネットワークにおいて実行されることを特徴とする請求項１に記載の方法。
【請求項９】
前記適用するステップは、前記無線デバイスにおいて実行されることを特徴とする請求項１に記載の方法。
【請求項１０】
前記適用するステップは、前記ネットワークにおいて実行されることを特徴とする請求項１に記載の方法。
【請求項１１】
無線通信システムにおいて使用するための端末であって、
前記端末に関連するプレゼンスおよびシチュエーション情報を生成するためのプレゼンスおよびシチュエーションジェネレータと、
前記プレゼンスおよびシチュエーション情報を格納するためのメモリと
を備えたことを特徴とする端末。
【請求項１２】
ＧＰＳデバイスをさらに備えたことを特徴とする請求項１１に記載の端末。
【請求項１３】
無線通信ネットワークにおいて使用するための無線デバイスの動作パラメータを調整するためのシステムであって、
シチュエーション設定を生成する生成手段と、
前記シチュエーション設定を格納する格納手段と、
前記ネットワークにおいて、前記無線デバイスに関する情報を受信する受信手段と、
前記無線デバイスのプレゼンスを判定するプレゼンス手段と、
前記無線デバイスの前記プレゼンスに基づいて、前記シチュエーション設定を適用する適用手段と、
適用された前記シチュエーション設定を用いて、前記情報を前記無線デバイスに通知する通知手段と
を備えたことを特徴とするシステム。
【請求項１４】
前記無線デバイスは、前記生成手段を含むことを特徴とする請求項１３に記載のシステム。
【請求項１５】
前記ネットワークは、前記生成手段を含むことを特徴とする請求項１３に記載のシステム。
【請求項１６】
前記無線デバイスは、前記格納手段を含むことを特徴とする請求項１３に記載のシステム。
【請求項１７】
前記無線デバイスは、前記プレゼンス手段を含むことを特徴とする請求項１３に記載のシステム。
【請求項１８】
前記無線デバイスは、前記適用手段を含むことを特徴とする請求項１３に記載のシステム。
【請求項１９】
前記ネットワークは、前記格納手段を含むことを特徴とする請求項１３に記載のシステム。
【請求項２０】
前記ネットワークは、前記プレゼンス手段を含むことを特徴とする請求項１３に記載のシステム。
【請求項２１】
前記ネットワークは、前記適用手段を含むことを特徴とする請求項１３に記載のシステム。
【請求項２２】
プレゼンスおよびシチュエーション情報を使用して、無線ネットワークにおける無線デバイスの通信を制御する方法であって、
前記無線デバイスに関連する前記プレゼンスおよびシチュエーション情報を生成するステップと、
前記プレゼンスおよびシチュエーション情報を格納するステップと、
前記プレゼンスおよびシチュエーション情報を読み出すステップと、
前記プレゼンスおよびシチュエーション情報を使用することによって、前記無線デバイスの前記通信を制御するステップと
を備えることを特徴とする方法。
【請求項２３】
前記生成するステップは、前記プレゼンスおよびシチュエーション情報を前記無線デバイスに手動で入力することを含むことを特徴とする請求項２２に記載の方法。
【請求項２４】
前記生成するステップは、前記無線デバイスの位置を検知することによって、前記プレゼンスおよびシチュエーション情報を自動的に生成することを含むことを特徴とする請求項２２に記載の方法。
【請求項２５】
前記生成するステップは、前記無線デバイスと前記無線ネットワークとの間の局所通信によって、前記プレゼンスおよびシチュエーション情報を自動的に生成することを含むことを特徴とする請求項２２に記載の方法。
【請求項２６】
前記生成するステップは、前記無線デバイスとその他のピア無線デバイスとの間の局所通信によって、前記プレゼンスおよびシチュエーション情報を自動的に生成することを含むことを特徴とする請求項２２に記載の方法。
【請求項２７】
前記生成するステップは、前記無線ネットワークによって前記無線デバイスに対して行われた測定に基づいて、前記無線ネットワークにより、前記プレゼンスおよびシチュエーション情報を自動的に生成することを含むことを特徴とする請求項２２に記載の方法。
【請求項２８】
前記生成するステップは、前記無線デバイスから前記無線ネットワークにレポートされた測定に基づいて、前記無線ネットワークにより、前記プレゼンスおよびシチュエーション情報を自動的に生成することを含むことを特徴とする請求項２２に記載の方法。
【請求項２９】
前記格納するステップは、前記無線デバイス内に前記プレゼンスおよびシチュエーション情報を格納することを含むことを特徴とする請求項２２に記載の方法。
【請求項３０】
前記格納するステップは、前記無線ネットワーク内に前記プレゼンスおよびシチュエーション情報を格納することを含むことを特徴とする請求項２２に記載の方法。
【請求項３１】
前記プレゼンスおよびシチュエーション情報は、前記無線ネットワーク内のプレゼンスおよびシチュエーション管理サーバ上に格納されることを特徴とする請求項３０に記載の方法。
【請求項３２】
前記格納するステップは、前記無線デバイスおよび前記無線ネットワーク上に前記プレゼンスおよびシチュエーション情報を格納することを含むことを特徴とする請求項２２に記載の方法。
【請求項３３】
前記プレゼンスおよびシチュエーション情報は、前記無線デバイスおよび前記無線ネットワーク上に完全に格納されることを特徴とする請求項３２に記載の方法。
【請求項３４】
前記プレゼンスおよびシチュエーション情報は、部分的には前記無線デバイス上に格納され、部分的には前記無線ネットワーク上に格納されることを特徴とする請求項３２に記載の方法。
【請求項３５】
前記読み出すステップは、前記無線ネットワークから前記プレゼンスおよびシチュエーション情報を読み出すことを含み、前記制御するステップは、前記無線ネットワークにより実行されることを特徴とする請求項２２に記載の方法。
【請求項３６】
前記プレゼンスおよびシチュエーション情報が、前記無線ネットワーク上で利用可能でない場合、前記無線デバイスに前記プレゼンスおよびシチュエーション情報を問い合わせることを特徴とする請求項３５に記載の方法。
【請求項３７】
前記読み出すステップは、前記無線デバイスから前記プレゼンスおよびシチュエーション情報を読み出すことを含み、前記制御するステップは、前記無線デバイスにより実行されることを特徴とする請求項２２に記載の方法。
【請求項３８】
前記プレゼンスおよびシチュエーション情報が、前記無線デバイス上で利用可能でない場合、前記無線ネットワークに前記プレゼンスおよびシチュエーション情報を問い合わせることを特徴とする請求項３７に記載の方法。
【請求項３９】
前記プレゼンス情報は、友人リスト上のユーザのリストを含むことを特徴とする請求項２２に記載の方法。
【請求項４０】
前記シチュエーション情報は、前記無線デバイスの物理的位置を含むことを特徴とする請求項２２に記載の方法。
【請求項４１】
前記制御するステップは、着信呼を拒否することを含むことを特徴とする請求項２２に記載の方法。
【発明の詳細な説明】
【技術分野】
【０００１】
本発明は、一般に、無線通信システムに関し、より詳細には、無線デバイスのプレゼンス（presence）およびシチュエーション（situation）に基づいて、無線デバイスの動作パラメータを調整するためのシステムおよび方法に関する。
【背景技術】
【０００２】
現在の無線電話機には、ユーザの位置、ユーザが誰と一緒にいるか、ユーザが何をしているか、または、ユーザがどのように通信したいのか、を判定する機構が含まれていない。この種の情報（knowledge）は、プレゼンスおよびシチュエーション情報として知られている。プレゼンス情報は、デバイスが接続している（すなわち、利用するために、現在デバイスを使用できる）ネットワークおよびサービスの両方に関連する。シチュエーション情報は、デバイスの物理的位置、他の無線デバイスとの近接さ、および、ユーザがいる環境を含む、デバイスが現在直面しているシチュエーションに関連する。
【０００３】
プレゼンス情報の例は、インスタントメッセージングアプリケーション（instant messaging application）における「友人リスト（buddy list）」である。ユーザＡの友人リスト内のユーザの１人が、インスタントメッセージングアプリケーションを用いてネットワークに接続したとき、ユーザＡは、自分のスクリーン上に、他のユーザがネットワークに接続した（他のユーザが「参加中」である）という指示を受信し、通信するために利用することができる。友人リストはまた、あるユーザがネットワークに接続されてはいるが、通信を受け入れていないときなどの情報も含む。
【発明の開示】
【発明が解決しようとする課題】
【０００４】
シチュエーション情報は、望ましい。なぜなら、無線電話機は、煩わしい場合もあり、電話機の所有者が重要な話し合いに従事しているとき、会議中であるとき、宗教上の儀式に参加しているとき、悪天候の状況下で運転中のとき、または、飛行機が離陸／着陸の状況にあるときなど（気づかずに電話を見過ごすとすれば）、不適切な時に電話がかけられることによって、時として、危険で迷惑な場合があるからである。したがって、プレゼンスおよびシチュエーション情報を無線電話機に組み込むことが望ましい。
【課題を解決するための手段】
【０００５】
無線通信ネットワークにおいて使用するための無線デバイスの動作パラメータを調整するための方法は、シチュエーション設定（situation setting）を生成し、格納することによって開始する。無線デバイスに関する交信を、ネットワークにて受信したとき、無線デバイスのプレゼンスが判定される。シチュエーション設定が、その無線デバイスのプレゼンスに基づいて、適用される。無線デバイスは、適用されたシチュエーション設定を用いて、その交信を受け取る。
【０００６】
１つまたは複数の無線デバイスに関する、プレゼンスおよびシチュエーション情報は、無線デバイス自体、ネットワーク、またはデバイスとネットワークとの双方の組合せによって、判定される。例えば、プレゼンスおよびシチュエーション情報は、手動で、自動的に、または半自動的に、無線デバイスに入力することができる。あるいは、ネットワークが、ネットワーク自身により、または、無線デバイスと連携して、無線デバイスの位置を判定してもよい。次いで、プレゼンスおよびシチュエーション情報、または、その一部が、デバイス内、ネットワーク内、または、デバイス内およびネットワーク内の双方に格納される。
【０００７】
無線通信ネットワークにおいて使用するための無線デバイスの動作パラメータを調整するためのシステムは、シチュエーション設定を入力するための入力手段と、シチュエーション設定を格納するための格納手段と、ネットワークにて、その無線デバイスに関する情報を受信するための受信手段と、その無線デバイスのプレゼンスを判定するためのプレゼンス手段と、その無線デバイスのプレゼンスに基づいて、シチュエーション設定を適用するための適用手段と、適用されたシチュエーション設定を用いて、その情報をその無線デバイスに通知するための通知手段と、を含む。
【０００８】
プレゼンスおよびシチュエーション情報を使用して、無線ネットワークにおける無線デバイスの通信を制御するための方法は、無線デバイスに関連するプレゼンスおよびシチュエーション情報を生成することによって開始する。プレゼンスおよびシチュエーション情報は、無線デバイス内、および／または、無線ネットワーク内に格納される。プレゼンスおよびシチュエーション情報は、その格納場所から読み出され、無線デバイスの通信を制御するために使用される。
【発明を実施するための最良の形態】
【０００９】
添付の図面を参照することによって理解すべき、例として提供する以下の好ましい実施形態の説明から、本発明をより詳細に理解することができる。
【００１０】
以下の説明では、本発明の機能性を例示するために、無線送受信ユニット（ＷＴＲＵ：wireless transmit/receive unit）が使用される。しかしながら、本発明は、ネットワークに接続できる任意の種類の無線通信デバイスに対して、使用できることに留意されたい。これらのデバイスには、セルラネットワーク機能、無線ローカルエリアネットワーク（ＷＬＡＮ）機能、Ｂｌｕｅｔｏｏｔｈ（登録商標）接続性などを有するデバイスが含まれるが、これらに限定されるものではない。以降、ＷＴＲＵには、ユーザ端末（user equipment）、移動局、固定式もしくは移動式の加入者用ユニット、ページャ、または、無線環境内で動作できるその他の任意の種類のデバイスが含まれるが、これらに限定されるものではない。
【００１１】
次に図１を参照すると、プレゼンスおよびシチュエーション（Ｐ＆Ｓ：presence and situation）管理システム１００は、ＷＴＲＵ１０２、ハンドヘルドコンピュータ１０４、および、ラップトップコンピュータ１０６など、多数の無線デバイスを含む。これらのデバイスは、システム１００内で使用できるデバイスの種類の例に過ぎないことに留意されたい。無線でネットワークにアクセスできる任意のデバイスが、システム１００とともに使用できる。デバイス１０２、１０４、１０６は、無線リンク１０８を介して、ネットワーク１１０と通信する。ネットワーク１１０は、プレゼンスおよびシチュエーション（Ｐ＆Ｓ）管理サーバ１１２を含む。
【００１２】
Ｐ＆Ｓ管理システム１００は、ユーザの現在のプレゼンスおよびシチュエーション情報の知識を有する。この知識から、システム１００は、ユーザが応対可能であるかどうかを判定することができる。例えば、ユーザが会議中であり、ユーザが着信呼を受信したくないとＰ＆Ｓ管理システムに指示した場合、発呼側は、ユーザが応対できないという指示を受信するであろう。
【００１３】
本発明にしたがって構成されたＷＴＲＵ１０２の好ましい実施形態が、簡略化されたブロック図として、図２に示されている。ＷＴＲＵ１０２は、アンテナ／アンテナアレイ２０２およびトランシーバ２０４を使用して、信号を送受信する。トランシーバ２０４は、ＷＴＲＵ処理回路２０６内の１つのコンポーネントである。プレゼンスおよびシチュエーション（Ｐ＆Ｓ）ジェネレータ２０８は、ユーザによる手動入力なしに、プレゼンスおよびシチュエーション情報を自動的に生成する。メモリ２１０を使用して、Ｐ＆Ｓ関連情報を格納する。代替として、Ｐ＆Ｓ情報は、ネットワーク１１０内の、ユーザに関連付けられたレコードに格納することができる。ＧＰＳデバイス２１２は、ＷＴＲＵ１０２に付随して含まれ得るオプションのデバイスであり、電話機に位置情報を提供するために、使用される。
【００１４】
３つの方法のうちの１つにより、Ｐ＆Ｓ情報を投入する（populate）ことができる。すなわち、Ｐ＆Ｓ情報は、ユーザにより手動で入力されるか、（Ｐ＆Ｓジェネレータを介して）ユーザのＷＴＲＵ１０２により判定されるか、または、ネットワーク１１０により検出される。情報の手動入力は、ＷＴＲＵにしてもよいし、または、ウェブベースのユーティリティプログラムを介して、直接、Ｐ＆Ｓ管理システムにしてもよい。さらに、ＷＴＲＵ１０２は、１人のユーザの所有物である一群のデバイスのために、ネットワーク１１０へのパイプの役割を果たすことができる。
【００１５】
シチュエーション情報は、ユーザが、着信呼をまったく受信したくないか、緊急事態を除いて呼を受信したくないか、または、「友人／上司（buddies/bosses）」のリストからの呼のみを受信したいか、などの情報を含む。例えば、ユーザは、自分の電話機を紛失しているとき、または、他人に貸しているときには、着信呼をすべて拒否したい場合がある。このような情報は、ユーザにより、手動で入力することができる（例えば、シチュエーション管理プロファイル（situation management profile）を設定する）。ネットワーク１１０に接続されたデバイスは、アイコン、テキスト、または、音声信号を用いてこの情報を適切に示すユーザインターフェースを有する。
【００１６】
位置情報は、ユーザが、病院にいるか、映画館にいるか、運転中であるか、または、ユーザが飛行機に乗っているかどうか、などの情報が含む。この情報は、以下によって、得ることができる。
【００１７】
（１）ロケーションアウェアな（location-aware）電話機および地図データ。ＷＴＲＵ１０２の現在位置は、ＧＰＳ（ＧＰＳデバイス２１２）により、または、ネットワークアシステッドＧＰＳ（network-assisted GPS）、もしくは、セルラネットワークを利用するトライアンギュレーション技法（triangulation technique）などの、その他のロケーション技術により、判定することができる。地図データは、ＷＴＲＵ１０２内、または、ネットワーク１１０上のいずれかに格納することができる。
【００１８】
（２）その他のピアエンティティ（peer entity）とのピアモード（peer-mode）接続を介して、自動的に確認する。例えば、病院は、自身の情報を絶えずブロードキャストするＢｌｕｅｔｏｏｔｈ（登録商標）トランスポンダを有する場合があり、病院にローミングするＷＴＲＵ１０２は、この情報を受け取ることができる。
【００１９】
（３）代替として、電話機の位置を知ることができる電話ネットワークが、ＷＴＲＵ１０２にメッセージを送信して、シチュエーション情報を更新してもよい。
【００２０】
図３は、本発明にかかるＰ＆Ｓ情報を利用する方法３００のフローチャートを示している。方法３００は、ユーザが、ユーザの無線デバイスを介して所望のシチュエーション設定を入力することによって（ステップ３０４）、開始する（ステップ３０２）。次いで、シチュエーション設定は、デバイス内またはネットワーク上に格納される（ステップ３０６）。ネットワークが、デバイスに関する情報を受信したとき（ステップ３０８）、デバイスのプレゼンスが、判定される（ステップ３１０）。
【００２１】
デバイスのプレゼンスが判定された後、シチュエーション設定が、プレゼンス情報に基づいて、適用される（ステップ３１２）。シチュエーション設定は、デバイスまたはネットワークのいずれか一方にて、適用することができる。シチュエーション設定が適用された後、ネットワークによって、情報がデバイスに通知され（ステップ３１４）、この方法は終了する（ステップ３１６）。
【００２２】
図４は、デバイス４０２とネットワーク４０４との間の、一連のメッセージ交換を示している。メッセージ交換を使用して、デバイス４０２とネットワーク４０４との間で、ユーザのＰ＆Ｓ情報を同期する。Ｐ＆Ｓ情報が、デバイスにて更新されると（ブロック４１０）、更新トリガ４１２が、デバイス４０２によって送信される。ネットワーク４０４が、更新トリガを受信して、デバイスのＩＤを検証し、更新プロセスを開始する（ブロック４１４）。
【００２３】
ネットワーク４０４は、デバイス４０２に、Ｐ＆Ｓ情報を要求する（ブロック４１６）。デバイス４０２は、更新要求を受信し、ネットワークのＩＤを検証する（ブロック４１８）。次いで、デバイス４０２は、ネットワークにＰ＆Ｓ情報を送信する（ブロック４２０）。ネットワーク４０４は、Ｐ＆Ｓ情報を受信し（ブロック４２２）、Ｐ＆Ｓ情報を格納する（ブロック４２４）。
【００２４】
ブロック４１４および４１８にて実行される検証ステップは、デバイス４０２とネットワーク４０４との間の情報転送が認可されていること、および、デバイス４０２もネットワーク４０４も、無認可のデバイスとは通信していないこと、を保証することによって同期プロセスのセキュリティのレベルを高めるように、設計される。同期されたＰ＆Ｓ情報に基づいて、ネットワークは、ユーザへの信号フローおよびトラフィックフロー、ならびに、ユーザからの信号フローおよびトラフィックフローを適切に処理する。ネットワークは、ユーザの現在のＰ＆Ｓ情報の知識を有しているので、前もって設定されたシチュエーション設定にしたがって、適切に信号をユーザに送ることができる。ユーザが、病院または図書館にいる場合、ネットワークは、着信呼を制限してもよい。ネットワークは、リングトーン（ring tone）の代わりに、ＳＭＳ（short message service）メッセージを送信してもよい。
【００２５】
次に、図５を参照すると、システム５００は、ユーザのパーソナルエリアネットワーク（ＰＡＮ：personal area network）５０２を含み、ＰＡＮ５０２は、複数のデバイス５０４、５０６、５０８、および５１０を有する。デバイス５０４−５１０は、アドホックな方法により、利用可能な任意の媒体を介して、互いに通信することができる。デバイス５０４−５１０間の接続は、これらの接続の非永続的性質を示すために、破線として示されている。ＰＡＮ５０２は、無線リンク５１４を介して、ネットワーク５１２と通信する。無線リンク５１４は、ネットワーク５１２とデバイス５０６とを接続するものとして示されているが、ネットワークは、ＰＡＮ５０２のあらゆるデバイス５０４−５１０と通信することができる。
【００２６】
ネットワーク５１２がＰＡＮ５０２と通信しているとき、ネットワーク５１２は、単一のデバイスと通信するときには可能でない措置、例えば、異なるデバイス５０４−５１０に呼を発信する（すなわち、自動転送する）、または、適切なデバイスに通信をルーティングするＰＡＮ５０２と一般に通信する、などの措置をとることができる。例えば、オーディオファイルが、ユーザに送信されている場合、そのオーディオファイルを、ユーザの電話機ではなく、ユーザのスタンドアロン型オーディオプレイヤにルーティングすることができる。同様に、（例えば、ユーザが飛行機に乗っている場合、）ネットワーク５１２は、ユーザが呼を発信または受信するのをできなくさせることができる。シチュエーション設定に対して利用可能な構成オプション（configuration option）は、ユーザのＰＡＮ５０２内のデバイス５０４−５１０の機能によってのみ、制限される。
【００２７】
無線移動式デバイスに関連して、本発明を上記にて説明してきたが、本発明は、様々なサブネットに接続されるラップトップなどの、移動式の（nomadic）有線デバイスにも適用可能である。「移動式の有線」環境における本発明の動作とのわずかな違いは、シチュエーション情報が異なる可能性が高いということである。そうでなければ、本発明は、上述したものと同じ方法で動作する。
【００２８】
本発明はまた、兵士によっても使用することができる。このような実施形態において、本発明の全般的な動作は同じであるが、Ｐ＆Ｓ情報は、より頻繁に更新される。というのは、軍事的環境において、この情報は、極めて重大なものになり得るからである。例えば、本発明は、軍事的環境において、アドホックネットワークに対して使用することができ、ここでは、互いに通信する必要がある多数の移動式デバイスが存在する。Ｐ＆Ｓ情報は、メインネットワークに渡される前に、アドホックネットワークに接続されたデバイス間で交換される。この環境において、メッシュネットワークを使用することも可能である。ここでは、メッシュネットワークに接続された各デバイスは、すべての情報ではないであろうが、少なくとも何らかの情報を受信する。メッシュネットワークに接続されたすべてのデバイスの完全なプレゼンスおよびシチュエーションの全体像（picture）を得るために、様々なデバイスからの情報をまとめて融合する必要がある。
【００２９】
本発明は、（所定の種類のサービスとともに使用される）パケット交換技術、および、回路交換（「常時接続」）技術とともに使用できることに留意されたい。本発明の代表的な実施形態を図示し、説明してきたが、当業者であれば、本発明の範囲から逸脱することなく、多様な変形および変更が可能であろう。いずれにせよ、上記の説明は、特定の発明を例示するのに役立つものであって、そのような特定の発明に限定するものではない。
【図面の簡単な説明】
【００３０】
【図１】本発明を用いるシステムの概略を示す図である。
【図２】本発明にしたがって構成された無線送受信ユニット（ＷＴＲＵ）を示すブロック図である。
【図３】本発明にかかる方法を示すフローチャートである。
【図４】本発明にかかる情報更新中のメッセージ交換を示す図である。
【図５】本発明にしたがって構成されたシステム内で動作している、ユーザのパーソナルエリアネットワークを示すブロック図である。
【図１】
2007511168.tif 000003
【図２】
2007511168.tif 000004
【図３】
2007511168.tif 000005
【図４】
2007511168.tif 000006
【図５】
2007511168.tif 000007
【国際調査報告】
2007511168.tif 000008